(57)【要約】【課題】電子名刺データを蓄積しているシステムにおいて、そのシステムのユーザへ、そのユーザの面会相手に関する情報を提供する。【解決手段】面会記録管理装置３は、ユーザ担当者と面会した顧客担当者の名刺データと、面会に係る面会記録データとを対応付けた面会履歴データレコードを、それぞれの面会別に蓄積する面会履歴蓄積部３３と、社員端末５から、ユーザ企業社員Ｐ１と面会した顧客企業社員Ｐ２の名刺データを取得して、取得した名刺データに基づいて面会履歴蓄積部３３から顧客企業社員Ｐ２に係る面会履歴データレコードを抽出する面会履歴検索部３７とを備え、抽出された面会履歴データレコードに基づいて、顧客企業社員Ｐ２の過去の面会に係る面会記録データを社員端末５へ出力する。【選択図】図１
2011138254.tif 000002
【特許請求の範囲】
【請求項１】
ユーザ担当者と面会した顧客担当者の名刺データと、前記面会に係る面会記録データとを対応付けた面会履歴データレコードを、それぞれの面会別に蓄積する面会履歴の蓄積手段と、
前記ユーザ担当者の第１の端末装置から、前記ユーザ担当者と面会した顧客担当者の名刺データを取得する手段と、
前記取得した顧客担当者の名刺データに基づいて、前記蓄積手段から前記顧客担当者に係る面会履歴データレコードを抽出する抽出手段と、
前記抽出手段によって抽出された面会履歴データレコードに基づいて、前記顧客担当者の過去の面会に係る面会記録データを前記第１の端末装置へ出力する手段と、を備える面会記録管理装置。
【請求項２】
（図７）
第２の端末装置から顧客担当者の指定を受け付けると、前記蓄積手段に蓄積されている指定された顧客担当者に係る面会履歴データレコードを抽出し、抽出された面会履歴データレコードの名刺データに基づいて、前記指定された顧客担当者個人の職務経歴を前記第２の端末装置に表示させるためのデータを出力する手段を、さらに備える請求項１記載の面会記録管理装置。
【請求項３】
（図９）
第２の端末装置から顧客担当者の指定を受け付けると、前記蓄積手段に蓄積されている指定された顧客担当者に係る面会履歴データレコードを抽出し、抽出された面会履歴データレコードに基づいて、前記指定された顧客担当者が面会したユーザ担当者一覧を前記第２の端末装置に表示させるためのデータを出力する手段を、さらに備える請求項１記載の面会記録管理装置。
【請求項４】
前記第１の端末装置から、前記ユーザ担当者と面会した顧客担当者に関する付加データを受け付けて、前記名刺データと関連づけて前記蓄積手段に登録する手段をさらに備え、
前記指定された顧客担当者が面会したユーザ担当者一覧を前記第２の端末装置に表示させるためのデータに、前記指定された顧客担当者の付加データへアクセスするためのリンクデータを含めることを特徴とする、請求項３記載の面会記録管理装置。
【請求項５】
（図１１）
第２の端末装置から、前記蓄積手段に蓄積されている面会履歴の中の一以上の面会の指定を受け付けると、指定された面会に係る面会履歴データレコードを前記蓄積手段から抽出し、抽出された面会履歴データレコードに基づいて、前記指定された面会に同席した顧客担当者が属する組織の組織図を推定し、推定された組織図を前記第２の端末装置に表示させるためのデータを出力する手段を、さらに備える請求項１記載の面会記録管理装置。
【請求項６】
（図１３）
第２の端末装置から、前記蓄積手段に蓄積されている面会履歴の中の一以上の面会の指定を受け付けると、指定された面会に係る面会履歴データレコードを前記蓄積手段から抽出し、抽出された面会履歴データレコードに基づいて、前記指定された面会に同席した顧客担当者同士の仕事上の親密度を推定し、推定された親密度を反映させた顧客担当者の連関図を前記第２の端末装置に表示させるためのデータを出力する手段を、さらに備える請求項１記載の面会記録管理装置。
【請求項７】
方法
ユーザ担当者と面会した顧客担当者の名刺データと、前記面会に係る面会記録データとを対応付けた面会履歴データレコードを、それぞれの面会別に蓄積する面会履歴の蓄積手段を備えた面会記録管理装置が、
前記ユーザ担当者の第１の端末装置から、前記ユーザ担当者と面会した顧客担当者の名刺データを取得するステップと、
前記取得した顧客担当者の名刺データに基づいて、前記蓄積手段から前記顧客担当者に係る面会履歴データレコードを抽出するステップと、
前記抽出された面会履歴データレコードに基づいて、前記顧客担当者の過去の面会に係る面会記録データを前記第１の端末装置へ出力するステップと、を有する面会記録管理方法。
【請求項８】
プログラム
ユーザ担当者と面会した顧客担当者の名刺データと、前記面会に係る面会記録データとを対応付けた面会履歴データレコードを、それぞれの面会別に蓄積する面会履歴の蓄積手段を備えた面会記録管理装置のためのコンピュータプログラムであって、
前記面会記録管理装置に、
前記ユーザ担当者の第１の端末装置から、前記ユーザ担当者と面会した顧客担当者の名刺データを取得するステップと、
前記取得した顧客担当者の名刺データに基づいて、前記蓄積手段から前記顧客担当者に係る面会履歴データレコードを抽出するステップと、
前記抽出された面会履歴データレコードに基づいて、前記顧客担当者の過去の面会に係る面会記録データを前記第１の端末装置へ出力するステップと、を実行させるためのコンピュータプログラム。
【発明の詳細な説明】
【技術分野】
【０００１】
本発明は、電子名刺データを利用した顧客との面会記録の管理、分析を行う技術に関する。
【背景技術】
【０００２】
従来、紙の名刺に記載するような内容を電子化した電子名刺データを、携帯電話機などで交換する電子名刺システムが提案されている。電子名刺システムを利用すると、名刺データの整理が容易になるなど、様々な利点がある。例えば、特許文献１には、この電子名刺データと会議等の情報とをあわせて管理する技術が記載されている。また、特許文献２には、会議に同席した参加者の電子名刺データを検索して取得する技術が記載されている。
【先行技術文献】
【特許文献】
【０００３】
【特許文献１】特開２００２−９９６７５号公報
【特許文献２】特開２００７−９４５４４号公報
【発明の概要】
【発明が解決しようとする課題】
【０００４】
ところで、一般的には、初対面のときに名刺を交換することが多い。つまり、名刺交換をしたときには相手に関する情報をほとんど持っていない。そのため、会話の糸口を見つけだすのに苦労することがある。
【０００５】
また、営業活動においては、２回目以降の面会時には、受注に向けた提案を行うことがある。そのためには、相手の詳細な個人情報や組織に関する情報などがあれば、より的確な提案を行うことが可能となる。
【０００６】
そこで、本発明の目的は、電子名刺データを蓄積しているシステムにおいて、そのシステムのユーザへ、そのユーザの面会相手に関する情報を提供することである。
【課題を解決するための手段】
【０００７】
本発明の一つの実施態様に従う面会記録管理装置は、ユーザ担当者と面会した顧客担当者の名刺データと、前記面会に係る面会記録データとを対応付けた面会履歴データレコードを、それぞれの面会別に蓄積する面会履歴の蓄積手段と、前記ユーザ担当者の第１の端末装置から、前記ユーザ担当者と面会した顧客担当者の名刺データを取得する手段と、前記取得した顧客担当者の名刺データに基づいて、前記蓄積手段から前記顧客担当者に係る面会履歴データレコードを抽出する抽出手段と、前記抽出手段によって抽出された面会履歴データレコードに基づいて、前記顧客担当者の過去の面会に係る面会記録データを前記第１の端末装置へ出力する手段と、を備える。
【０００８】
これにより、例えば図４に示すような顧客担当者の過去の面会記録が第２の端末装置に表示される。
【０００９】
好適な実施形態では、第２の端末装置から顧客担当者の指定を受け付けると、前記蓄積手段に蓄積されている指定された顧客担当者に係る面会履歴データレコードを抽出し、抽出された面会履歴データレコードの名刺データに基づいて、前記指定された顧客担当者個人の職務経歴を前記第２の端末装置に表示させるためのデータを出力する手段を、さらに備えてもよい。
【００１０】
これにより、例えば図７に示すような顧客担当者個人の職務経歴が第２の端末装置に表示される。
【００１１】
好適な実施形態では、第２の端末装置から顧客担当者の指定を受け付けると、前記蓄積手段に蓄積されている指定された顧客担当者に係る面会履歴データレコードを抽出し、抽出された面会履歴データレコードに基づいて、前記指定された顧客担当者が面会したユーザ担当者一覧を前記第２の端末装置に表示させるためのデータを出力する手段を、さらに備えてもよい。
【００１２】
これにより、例えば図９に示すような顧客担当者が面会したユーザ担当者一覧が第２の端末装置に表示される。
【００１３】
好適な実施形態では、前記第１の端末装置から、前記ユーザ担当者と面会した顧客担当者に関する付加データを受け付けて、前記名刺データと関連づけて前記蓄積手段に登録する手段をさらに備えてもよい。そして、前記指定された顧客担当者が面会したユーザ担当者一覧を前記第２の端末装置に表示させるためのデータに、前記指定された顧客担当者の付加データへアクセスするためのリンクデータを含めてもよい。
【００１４】
好適な実施形態では、第２の端末装置から、前記蓄積手段に蓄積されている面会履歴の中の一以上の面会の指定を受け付けると、指定された面会に係る面会履歴データレコードを前記蓄積手段から抽出し、抽出された面会履歴データレコードに基づいて、前記指定された面会に同席した顧客担当者が属する組織の組織図を推定し、推定された組織図を前記第２の端末装置に表示させるためのデータを出力する手段を、さらに備えてもよい。
【００１５】
これにより、例えば図１１に示すような顧客担当者が属する組織の組織図が第２の端末装置に表示される。
【００１６】
好適な実施形態では、第２の端末装置から、前記蓄積手段に蓄積されている面会履歴の中の一以上の面会の指定を受け付けると、指定された面会に係る面会履歴データレコードを前記蓄積手段から抽出し、抽出された面会履歴データレコードに基づいて、前記指定された面会に同席した顧客担当者同士の仕事上の親密度を推定し、推定された親密度を反映させた顧客担当者の連関図を前記第２の端末装置に表示させるためのデータを出力する手段を、さらに備えてもよい。
【００１７】
これにより、例えば図１３に示すような推定された親密度を反映させた顧客担当者の連関図が第２の端末装置に表示される。
【図面の簡単な説明】
【００１８】
【図１】本発明の一実施形態に係る面会記録分析システムの構成図である。
【図２】面会履歴蓄積部３３のデータ構造の一例を示す。
【図３】面会履歴登録処理の一例を示すフローチャートである。
【図４】面会履歴表示１００の一例を示す。
【図５】付加データの登録手順の一例を示すフローチャートである。
【図６】顧客社員の職務経歴を表示させる処理手順の一例を示すフローチャートである。
【図７】個人経歴表示２００の一例を示す。
【図８】顧客社員とユーザ企業側の面会者の一覧を表示させる処理手順の一例を示すフローチャートである。
【図９】当社面会者一覧表示３００の一例を示す。
【図１０】顧客企業の組織図を推定し、表示させる処理手順の一例を示すフローチャートである。
【図１１】組織図表示４００の一例を示す。
【図１２】顧客企業の各社員の仕事上の親密度を推定し、親密度を示す連関表を表示させる処理手順の一例を示すフローチャートである。
【図１３】連関図５００の一例を示す。
【発明を実施するための形態】
【００１９】
以下、本発明の一実施形態に係る顧客との面会記録分析システムについて、図面を参照して説明する。
【００２０】
本システムは、本システムのユーザ企業などの社員（ユーザ担当者）が、面会相手である他の多数の顧客企業などの社員（顧客担当者）と面会したときに取得した電子名刺データ、及びそのときの面会記録を蓄積し、これらを分析するシステムである。
【００２１】
図１は、本実施形態に係る面会記録分析システムの構成図である。
【００２２】
本システムは、ユーザ企業社員の電子名刺データを管理する名刺データ管理装置１と、ユーザ企業社員と顧客企業社員との面会記録を管理する面会記録管理装置３と、ユーザ企業社員（以下、ユーザ社員と称する）Ｐ１の社員端末５と、顧客企業社員（以下、顧客社員と称する）Ｐ２の顧客端末７と、ユーザ社員が操作する企業端末９とを備える。
【００２３】
名刺データ管理装置１及び面会記録管理装置３は、いずれも例えば汎用的なコンピュータシステムにより構成され、以下に説明する名刺データ管理装置１及び面会記録管理装置３内の個々の構成要素または機能は、例えば、コンピュータプログラムを実行することにより実現される。このコンピュータプログラムは、コンピュータ読み取り可能な記録媒体に格納可能である。
【００２４】
名刺データ管理装置１は、ユーザ社員の電子名刺データ（以下、単に名刺データと称する）を記憶する社員マスタ１１と、名刺データを社員マスタ１１に登録する名刺データ登録部１３と、社員マスタ１１に保存されている名刺データを社員端末５へ配信する名刺データ配信部１５をと備える。
【００２５】
社員マスタ１１には、例えば、ユーザ社員の名刺データが保存されている。名刺データには、一般的な紙の名刺に記載されている内容が含まれる。例えば、名刺データには、会社名、氏名、部署、役職、住所、電話番号、電子メールアドレス、顔写真の画像データ等が含まれていてもよい。さらに、名刺データには、一般的な紙の名刺に記載されていない情報（例えば自己紹介データなど、取引先への自己アピールのためのデータ）を含んでもよい。
【００２６】
名刺データ登録部１３は、上述のような名刺データを社員マスタ１１に登録する。名刺データ登録部１３が、名刺データを社員マスタ１１に登録するために、例えば、予め上長の承認を受けていることを条件としてもよい。
【００２７】
名刺データ配信部１５は、社員端末５からのリクエストに応じて、その社員端末５を管理するユーザユーザ社員Ｐ１の名刺データを配信する。例えば、図１の例では、名刺データ配信部１５は、ユーザユーザ社員Ｐ１の個人認証を行った後、社員端末５に対して名刺データ配信部１５はユーザユーザ社員Ｐ１の名刺データを配信する。
【００２８】
社員端末５及び顧客端末７は、通信機能を有する可搬型の端末装置であり、例えば、携帯電話機、携帯情報端末、あるいは汎用的なパーソナルコンピュータなどでもよい。社員端末５及び顧客端末７は、液晶パネルなどの表示装置、及びプッシュボタンあるいはポインティングデバイスなどの入力装置を有する。さらに、社員端末５及び顧客端末７は、例えば赤外線通信装置などの近距離通信装置を備えていて、その近距離通信装置を用いて互いに通信可能である。
【００２９】
社員端末５は、名刺データ管理装置１からユーザ社員Ｐ１の名刺データを取得して、保存する。一方、顧客端末７は、予め顧客社員Ｐ２の名刺データを保存している。社員端末５及び顧客端末７は、例えば赤外線通信によって、互いの名刺データを交換することができる。
【００３０】
また、社員端末５は、顧客社員Ｐ２の声（音声）、写真、顧客社員Ｐ２に関するメモなどの入力を受け付けると、これらのデータを付加データとして顧客社員Ｐ２の名刺データに付加することができる。さらに、ユーザ社員Ｐ１は、社員端末５に顧客社員Ｐ２との面会記録データを入力することができる。面会記録データには、例えば、後述するように、面会日時、場所、自社の同席者、及び顧客企業側の同席者等を含む。
【００３１】
社員端末５は、顧客端末７から取得した顧客社員Ｐ２の名刺データ、付加データ、及び面会記録データを、面会記録管理装置３へ送信する。
社員端末５は、面会記録管理装置３から、顧客社員Ｐ２と自社の社員との過去の面会履歴データを取得する。さらには、社員端末５は、面会記録管理装置３から、面会履歴の様々な分析結果データを取得する。
【００３２】
面会記録管理装置３は、面会履歴登録部３１と、面会履歴蓄積部３３と、個人経歴検索部３５と、面会履歴検索部３７と、人間関係分析部３９と、同姓同名データベース４５と、旧姓データベース４７とを有する。
【００３３】
面会履歴登録部３１は、社員端末５から取得したデータに基づいて、面会履歴蓄積部３３に面会履歴を登録する。例えば、面会履歴登録部３１は、社員端末５が顧客端末７から取得した顧客社員Ｐ２の名刺データ及び顧客社員Ｐ２との面会記録データを取得する。面会履歴登録部３１は、ここで取得した名刺データと面会記録データとを関連づけて、面会履歴蓄積部３３に保存する。
【００３４】
面会履歴登録部３１は、社員端末５から顧客社員Ｐ２に関する付加データを受け付けて、顧客社員Ｐ２の名刺データと関連づけて面会履歴蓄積部３３に保存する。
【００３５】
面会履歴蓄積部３３は、面会履歴データを蓄積する。面会履歴蓄積部３３は、ユーザ社員Ｐ１と面会した顧客社員Ｐ２の名刺データと、面会に係る面会記録データとを対応付けた面会履歴データレコードを、それぞれの面会別に蓄積する。面会履歴蓄積部３３の各レコードは、例えば、図２に示すようなデータ項目を有する。すなわち、面会履歴蓄積部３３は、名刺データ１１０と、付加データ１３０と、面会記録データ１５０とをデータ項目として有する。
【００３６】
名刺データ１１０は、さらに、同図に例示するように、氏名１１１、会社名１１３、部署名１１５、役職名１１７、住所１１９、電話番号１２１、及び電子メールアドレス１２３をデータ項目として含む。
【００３７】
付加データ１３０は、名刺データ１１０に付加するデータである。付加データ１３０は、例えば、上述したような、顧客社員Ｐ２の音声、写真、顧客社員Ｐ２に関するメモ（テキスト）などでよい。
【００３８】
面会記録データ１５０は、さらに、同図に例示するように、面会日１５１、時刻１５３、面会時の主な話題を示す会議名１５５、面会の場所１５７、面会に同席した当社出席者１５９及び面会に同席した顧客側出席者１６１をデータ項目として含む。当社出席者１５９及び顧客側出席者１６１は、いずれも複数人であってもよい。
【００３９】
個人経歴検索部３５は、企業端末９から顧客社員の指定を受け付けると、面会履歴蓄積部３３に蓄積されている指定された顧客社員に係る面会履歴データレコードを抽出し、抽出された面会履歴データレコードの名刺データ１１０に基づいて、指定された顧客担当者個人の職務経歴を企業端末９に表示させるためのデータを出力する。
【００４０】
個人経歴検索部３５は、例えば、面会履歴蓄積部３３に蓄積されている面会履歴データに基づいて、顧客社員Ｐ２個人の職務経歴をまとめる。個人経歴検索部３５は、社員端末５または企業端末９から顧客社員Ｐ２の氏名の指定を受け付けると、その氏名をキーにして、指定された顧客社員Ｐ２の名刺データ１１０を含む面会履歴データレコードを面会履歴蓄積部３３から抽出するようにしてもよい。ここで、１以上のレコードが抽出されると、その抽出されたレコードの名刺データ１１０の面会日１５１を基準にして並べて、顧客社員Ｐ２の職務経歴一覧を生成する。なお、このとき、個人経歴検索部３５は、同姓同名データベース４５及び旧姓データベース４７を参照して、同一人の名寄せを行うようにしてもよい。
【００４１】
面会履歴検索部３７は、社員端末５または企業端末９から顧客社員の指定を受け付けると、面会履歴蓄積部３３に蓄積されている指定された顧客社員に係る面会履歴データレコードを抽出し、抽出された面会履歴データレコードの名刺データ１１０に基づいて、指定された顧客担当者が面会したユーザ担当者一覧を企業端末９に表示させるためのデータを出力する。
【００４２】
また、面会履歴検索部３７は、社員端末５から顧客社員Ｐ２の名刺データを取得したときは、その名刺データに基づいて面会履歴蓄積部３３から顧客社員Ｐ２に係る面会履歴データレコードを抽出し、抽出された面会履歴データレコードに基づいて、顧客社員Ｐ２の過去の面会に係る面会記録データを社員端末５へ出力する。
【００４３】
面会履歴検索部３７は、例えば、面会履歴蓄積部３３に蓄積されている面会履歴データに基づいて、顧客社員Ｐ２が過去に当社の社員と面会した面会履歴を検索する。社員端末５または企業端末９から顧客社員Ｐ２の氏名の指定を受け付けると、指定された氏名の顧客社員Ｐ２の名刺データ１１０を含む面会履歴データレコードを面会履歴蓄積部３３から抽出するようにしてもよい。ここで、１以上のレコードが抽出されたとき、その抽出されたレコードの面会記録データ１５０に基づいて、顧客社員Ｐ２とユーザ企業の社員との過去の面会履歴一覧を生成する。なお、このとき、面会履歴検索部３７は、同姓同名データベース４５及び旧姓データベース４７を参照して、同一人の名寄せを行うようにしてもよい。
【００４４】
面会履歴検索部３７は、指定された顧客社員が面会したユーザ担当者一覧、または、顧客社員Ｐ２の過去の面会に係る面会記録データを、その要求元の社員端末５または企業端末９に表示させるためのデータに、指定された顧客社員の付加データへアクセスするためのリンクデータを含めてもよい。リンクデータは、例えば、図９に示す付加データアイコン３３０でよい。
【００４５】
人間関係分析部３９は、面会履歴蓄積部３３に蓄積されている面会履歴データに基づいて顧客企業内での人間関係を分析する。例えば、社員端末５または企業端末９から指定された会議に係る面会履歴データレコードを面会履歴蓄積部３３から抽出する。１以上のレコードが抽出されたとき、人間関係分析部３９は、その抽出されたレコードの名刺データ１１０の氏名１１１及び面会記録データ１５０の顧客側出席者１６１に基づいて、顧客企業内の人間関係を分析する。
【００４６】
人間関係分析部３９は、社員端末５または企業端末９から、面会履歴蓄積部３３に蓄積されている面会履歴の中の一以上の面会（会議）の指定を受け付けると、指定された面会（会議）に係る面会履歴データレコードを面会履歴蓄積部３３から抽出する。さらに、人間関係分析部３９は、抽出された面会履歴データレコードに基づいて、指定された面会（会議）に同席した顧客社員が属する組織の組織図を推定し、推定された組織図を社員端末５または企業端末９に表示させるためのデータを出力する。
【００４７】
例えば、人間関係分析部３９は、抽出された面会履歴データを解析して、自社社員と顧客社員との間で行われた打合せの回数（全打合せ回数）をカウントする。さらに、人間関係分析部３９は、氏名１１１及び顧客側出席者１６１に含まれる顧客企業の全社員について、それぞれが同社の他の社員と打合せを同席した回数をカウントするとともに、各社員について、同社の他の社員との同席割合を算出する。ここで人間関係分析部３９は、同席した割合が大きい社員同士ほど、仕事上の親密度が大きいと判定する。人間関係分析部３９は、この親密度を反映させた連関図を作成する。
【００４８】
また、人間関係分析部３９は、社員端末５または企業端末９から、面会履歴蓄積部３３に蓄積されている面会履歴の中の一以上の面会（会議）の指定を受け付けると、指定された面会（会議）に係る面会履歴データレコードを面会履歴蓄積部３３から抽出する。さらに、人間関係分析部３９は、抽出された面会履歴データレコードに基づいて、指定された面会（会議）に同席した顧客社員同士の仕事上の親密度を推定し、推定された親密度を反映させた顧客担当者の連関図を社員端末５または企業端末９に表示させるためのデータを出力する。
【００４９】
例えば、人間関係分析部３９は、抽出された面会履歴データの名刺データ１１０に含まれる部署名１１５及び役職名１１７に基づいて、名刺データ１１０の氏名１１１及び面会記録データ１５０の顧客側出席者１６１に含まれる社員が属する部署の推定される組織図を生成する。例えば、人間関係分析部３９は、同じ部署の社員をグループにして、それぞれの役職に応じて各グループ内の上下関係を推定する。
【００５０】
ここで、人間関係分析部３９は、面会日１５１を基準日として、組織図を生成してもよい。つまり、面会日１５１が同日、ないしは所定の期間内のレコードから抽出した顧客企業の社員に関して、組織図を生成してもよい。面会履歴蓄積部３３には過去のデータが含まれている可能性もあるからである。
【００５１】
上述のような構成を有する面会記録分析システムの様々な処理手順について、フローチャートなどを参照しながら説明する。
【００５２】
まず、図３は、面会履歴登録処理の一例を示すフローチャートである。
【００５３】
ユーザ企業のユーザ社員Ｐ１と顧客企業の社員Ｐ２が面会したとき、まず、両者の間で名刺交換が行われる。すなわち、本実施形態においては、以下の手順で社員端末５と顧客端末７とで名刺データの交換が行われる。
【００５４】
社員端末５は、顧客端末７へ送信する前に、自らが保持している名刺データを表示装置に表示させる（Ｓ１０１）。ここで、ユーザ社員Ｐ１は自らの名刺データを確認できる。
【００５５】
社員端末５は、赤外線通信を使って、ユーザ社員Ｐ１の名刺データを顧客端末７へ送り、顧客端末７から顧客社員Ｐ２の名刺データを取得する（Ｓ１０３）。
【００５６】
ユーザ社員Ｐ１は、顧客社員Ｐ２に関する付加データを取得してもよい（Ｓ１０５）。例えば、ユーザ社員Ｐ１が社員端末５を用いて、付加データとして顧客社員Ｐ２の音声、あるいは写真をとったり、または顧客社員Ｐ２に関するメモを入力したりしてもよい。
【００５７】
社員端末５は、顧客社員Ｐ２の名刺データ及び付加データを表示装置に表示させる（Ｓ１０７）。ここで、ユーザ社員Ｐ１は顧客社員Ｐ２の名刺データ等を確認できる。
【００５８】
社員端末５は、面会記録データの入力を受け付ける（Ｓ１０９）。面会記憶データのデータ項目は、例えば上述の通りである。なお、面会記録データの入力は、ステップＳ１０１より前に行ってもよい。
【００５９】
社員端末５は、上述の処理で取得した名刺データ、付加データ及び面会記録データを面会記録管理装置３へアップロードする（Ｓ１１１）。
【００６０】
面会記録管理装置３では、面会履歴登録部３１が社員端末５から送信された名刺データ、付加データ及び面会記録データを受信して、面会履歴蓄積部３３に面会履歴データレコードとして追加する（Ｓ１１３）。
【００６１】
面会履歴検索部３７は、ステップＳ１１１でアップロードされた名刺データに基づいて、面会履歴蓄積部３３から、顧客社員Ｐ２と自社の社員との過去の面会履歴を抽出する（Ｓ１１５）。このとき、抽出された面会履歴データのレコード数が多いときは、直近の所定回数分（例えば３回）を対象としてもよい。
【００６２】
面会履歴蓄積部３３は、ここで抽出した面会履歴データを社員端末５へ送信する（Ｓ１１７）。
【００６３】
社員端末５は、面会記録管理装置３から送信された面会履歴データに基づいて、顧客社員Ｐ２の面会履歴データを表示装置に表示させる（Ｓ１１９）。
【００６４】
図４は、このときの面会履歴表示１００の一例を示す。
【００６５】
すなわち、同図に示すように、面会履歴表示１００には、顧客社員Ｐ２の個人情報１６０と、過去の面会データ１７０、１８０が表示されている。個人情報１６０には、顧客社員Ｐ２の氏名１６１と、面会データ１７０及び１８０に係る面会日及びそのときの会社名及び肩書き１６２，１６３が表示されている。
【００６６】
これにより、ユーザ社員Ｐ１は、初対面の顧客社員Ｐ２と名刺交換した直後に、顧客社員Ｐ２と自社の社員との面会記録を参照することができる。その結果、ユーザ社員Ｐ１にとっては、初対面の打合せを円滑に進めるための有効な情報を得ることができ、顧客社員Ｐ２との話の糸口が見つけやすくなる。
【００６７】
上述した面会履歴登録の手順では、付加データをあわせて登録している。しかしながら、付加データは面会履歴登録とは別に、社員端末５を用いて登録することができる。以下、その手順について、図５のフローチャートを用いて説明する。
【００６８】
まず、社員端末５の表示装置に、付加データ追加登録のメニュー画面を表示させる（Ｓ２０１）。このメニュー画面には、面会履歴蓄積部３３に保存されている名刺データに基づく顧客社員の氏名一覧を表示させてもよい。ユーザ社員Ｐ１は、このメニュー画面で対象となる顧客社員を選択する（Ｓ２０３）。さらに、ユーザ社員Ｐ１は、社員端末５が予め備えている音声入力ボタンまたはメモボタンを押下して、付加データとして登録するデータの種類を選択する（Ｓ２０５）。そして、ユーザ社員Ｐ１は、社員端末５を利用して、音声を登録するか、またはテキストを入力する（Ｓ２０７、Ｓ２０９）。
【００６９】
社員端末５は、ステップＳ２０７またはＳ２０９で入力されたデータを面会記録管理装置３へアップロードして、面会履歴蓄積部３３に付加データ１３０として登録する（Ｓ２１１）。
【００７０】
次に、社員端末５及び企業端末９のいずれか一方を用いて、顧客社員Ｐ２の職務経歴を表示させる手順について、図６のフローチャートを参照して説明する。
【００７１】
まず、社員端末５または企業端末９の表示装置に、職務経歴表示のためのメニュー画面を表示させる（Ｓ３０１）。このメニュー画面には、面会履歴蓄積部３３に保存されている名刺データに基づく顧客社員の氏名１１１の一覧を表示させてもよい。このメニュー画面で、社員端末５または企業端末９の操作者が対象となる顧客社員を選択する（Ｓ３０３）。ここで、社員端末５または企業端末９から、選択された顧客社員の個人経歴の取得要求が面会記録管理装置３へ送信される（Ｓ３０５）。
【００７２】
面会記録管理装置３がこの個人経歴の取得要求を受け付けると、個人経歴検索部３５が面会履歴蓄積部３３を検索して、対象顧客社員の面会履歴データレコードを抽出する（Ｓ３０７）。そして、個人経歴検索部３５は、抽出された面会履歴データレコードから、対象顧客社員の個人経歴を生成する（Ｓ３０９）。
【００７３】
ここで生成された個人経歴データが、要求元の社員端末５または企業端末９へ送信されて、社員端末５または企業端末９の表示装置に個人経歴が表示される（Ｓ３１１）。
【００７４】
図７は、このときの個人経歴表示２００の一例を示す。すなわち、同図に示すように、個人経歴表示２００には、対象顧客社員の氏名２１０と、職務経歴一覧２２０とが表示される。職務経歴一覧２２０には、面会日２２１と、その面会日における会社２２２、部署２２３、役職２２４及び会議名２２５とが含まれる。会議名２２５が選択されると、その会議の詳細な内容を表示させる画面に遷移してもよい。
【００７５】
これにより、自社の社員との面会記録が残っていれば、顧客社員の現在に至るまでの職務経歴を一覧でみることができる。つまり、この職務経歴一覧により、顧客社員のバックグラウンドを知ることができるので、次回以降の打合せにおいて、そのバックグラウンドに適合する効果的な提案を行うことができる。
【００７６】
次に、社員端末５及び企業端末９のいずれか一方を用いて、顧客社員と当社側の面会者の一覧を表示させる手順について、図８のフローチャートを参照して説明する。
【００７７】
まず、社員端末５または企業端末９の表示装置に、当社面会者一覧表示のためのメニュー画面を表示させる（Ｓ４０１）。このメニュー画面には、面会履歴蓄積部３３に保存されている名刺データ１１０に基づく顧客社員の氏名１１１の一覧を表示させてもよい。このメニュー画面で、社員端末５または企業端末９の操作者が対象となる顧客社員を選択する（Ｓ４０３）。ここで、社員端末５または企業端末９から、選択された顧客社員と当社の面会者一覧要求が面会記録管理装置３へ送信される（Ｓ４０５）。
【００７８】
面会記録管理装置３が、この面会者一覧要求を受け付けると、面会履歴検索部３７が面会履歴蓄積部３３を検索して、対象顧客社員の面会記録データレコードを抽出する（Ｓ４０７）。そして、面会履歴検索部３７は、例えば、抽出された面会記録データレコードの当社出席者１５９に基づいて、当社側の面会者一覧を生成する（Ｓ４０９）。
【００７９】
ここで生成された当社面会者一覧データが、要求元の社員端末５または企業端末９へ送信されて、社員端末５または企業端末９の表示装置に表示される（Ｓ４１１）。
【００８０】
図９は、このときの当社面会者一覧表示３００の一例を示す。すなわち、同図に示すように、当社面会者一覧表示３００には、対象顧客社員の氏名３１０と、当社面会者一覧３２０と、付加データアイコン３３０とが表示される。付加データアイコン３３０は、面会履歴蓄積部３３の付加データ１３０へアクセスするためのリンクが含まれている。従って、付加データアイコン３３０のいずれかが選択されると、選択されたアイコンに対応する付加データが出力（テキストあるいは画像の表示、または音声出力）される。
【００８１】
これにより、所望の顧客社員と面会した経験のある自社の社員を把握することができる。つまり、この当社面会者一覧により、その面会者から顧客社員のより詳細な情報を得ることができ、より顧客の実情にあった提案を作成できる。
【００８２】
次に、社員端末５及び企業端末９のいずれか一方を用いて、顧客企業の組織図を推定し、表示させる手順について、図１０のフローチャートを参照して説明する。
【００８３】
まず、社員端末５または企業端末９の表示装置に、組織図作成のためのメニュー画面を表示させる（Ｓ５０１）。このメニュー画面には、面会履歴蓄積部３３に保存されている面会記録データ１５０の会議名１５５の一覧を表示させてもよい。このメニュー画面で、社員端末５または企業端末９の操作者が所望の一以上の会議を選択する（Ｓ５０３）。ここで、社員端末５または企業端末９から、組織図の生成要求が面会記録管理装置３へ送信される（Ｓ５０５）。
【００８４】
面会記録管理装置３が、この組織図生成要求を受け付けると、人間関係分析部３９が面会履歴蓄積部３３を検索して、指定された会議に係る面会履歴データレコードを抽出する（Ｓ５０７）。そして、人間関係分析部３９は、例えば、抽出された面会履歴データレコードの氏名１１１及び顧客側出席者１６１に基づいて、指定された会議に出席した顧客企業の社員をすべて抽出する（Ｓ５０９）。人間関係分析部３９は、ここで抽出された全顧客企業の社員の名刺データ１１０から部署名１１５及び役職名１１７を抽出し、顧客企業の推定される組織図を生成する（Ｓ５１１）。なお、名刺データ１１０がない顧客社員は、この組織図に含めない。
【００８５】
ここで生成された組織図データが、要求元の社員端末５または企業端末９へ送信されて、社員端末５または企業端末９の表示装置に表示される（Ｓ５１３）。
【００８６】
図１１は、このときの組織図表示４００の一例を示す。すなわち、同図に示すように、組織図表示４００には、推定された顧客企業の組織図４１０と、この組織図の基準日４２０とが表示されている。複数の基準日で組織図が生成されているときは、基準日４２０で指定することによって組織図４１０の表示を切り替えることができるようにしてもよい。
【００８７】
これにより、顧客企業の各社員の組織上の関係を容易に把握することができる。例えば、上司と部下の関係及び部署間の関係などを把握できる。さらに、この組織図から、誰がキーパーソンであるかの推測が容易になる。
【００８８】
次に、社員端末５及び企業端末９のいずれか一方を用いて、顧客企業の各社員の仕事上の親密度を推定し、親密度を示す連関表を表示させる手順について、図１２のフローチャートを参照して説明する。
【００８９】
まず、社員端末５または企業端末９の表示装置に、親密度を反映した連関図作成のためのメニュー画面を表示させる（Ｓ６０１）。このメニュー画面には、面会履歴蓄積部３３に保存されている面会記録データ１５０の会議名１５５の一覧を表示させてもよい。このメニュー画面で、社員端末５または企業端末９の操作者が所望の一以上の会議を選択する（Ｓ６０３）。ここで、社員端末５または企業端末９から、連関図の生成要求が面会記録管理装置３へ送信される（Ｓ６０５）。
【００９０】
面会記録管理装置３が、この連関図生成要求を受け付けると、人間関係分析部３９が面会履歴蓄積部３３を検索して、指定された会議に係る面会履歴データレコードを抽出する（Ｓ６０７）。そして、人間関係分析部３９は、例えば、抽出された面会履歴データレコードの氏名１１１及び顧客側出席者１６１に基づいて、指定された会議の回数及び複数の顧客企業の社員の同席回数をカウントする（Ｓ６０９）。人間関係分析部３９は、ステップS６０９のカウント結果に基づいて、顧客企業の社員同士の仕事上の親密度を推定する（Ｓ６１１）。人間関係分析部３９は、この親密度を反映させた連関図を生成する（Ｓ６１３）。
【００９１】
ここで生成された連関図のデータが、要求元の社員端末５または企業端末９へ送信されて、社員端末５または企業端末９の表示装置に表示される（Ｓ６１５）。
【００９２】
図１３は、このときの連関図５００の一例を示す。すなわち、同図に示すように、連関図５００には、複数の顧客企業の社員の氏名５１０，５１０，・・・が表示されている。この連関図５００において、各顧客社員氏名５１０の互いの距離が、顧客社員同士の親密度を示している。つまり、表示されている氏名５１０間の距離が近いほど親密であり、遠いほど疎遠であることを示している。この図において、それぞれの氏名５１０を選択すると、その社員の職務経歴５２０が表示されるようにしてもよい。
【００９３】
これにより、顧客企業の各社員の仕事上の親密度を容易に把握することができる。
各社員の専門分野も推測可能である。
【００９４】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００９５】
１  名刺データ管理装置
３  面会記録管理装置
５  社員端末
５  社員端末
５  社員端末
５  ユーザ端末
５  社員端末
７  顧客端末
９  企業端末
１１  社員マスタ
１３  名刺データ登録部
１５  名刺データ配信部
３１  面会履歴登録部
３３  面会履歴蓄積部
３５  個人経歴検索部
３７  面会履歴検索部
３９  人間関係分析部
【図１】
2011138254.tif 000003
【図２】
2011138254.tif 000004
【図３】
2011138254.tif 000005
【図４】
2011138254.tif 000006
【図５】
2011138254.tif 000007
【図６】
2011138254.tif 000008
【図７】
2011138254.tif 000009
【図８】
2011138254.tif 000010
【図９】
2011138254.tif 000011
【図１０】
2011138254.tif 000012
【図１１】
2011138254.tif 000013
【図１２】
2011138254.tif 000014
【図１３】
2011138254.tif 000015
【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
ユーザ担当者と面会した顧客担当者の名刺データと、前記面会に係る面会記録データとを対応付けた面会履歴データレコードを、それぞれの面会別に蓄積する面会履歴の蓄積手段と、
前記ユーザ担当者の第１の端末装置から、前記ユーザ担当者と面会した顧客担当者の名刺データを取得する手段と、
前記取得した顧客担当者の名刺データに基づいて、前記蓄積手段から前記顧客担当者に係る面会履歴データレコードを抽出する抽出手段と、
前記抽出手段によって抽出された面会履歴データレコードに基づいて、前記顧客担当者の過去の面会に係る面会記録データを前記第１の端末装置へ出力する手段と、を備える面会記録管理装置。
【請求項２】
第２の端末装置から顧客担当者の指定を受け付けると、前記蓄積手段に蓄積されている指定された顧客担当者に係る面会履歴データレコードを抽出し、抽出された面会履歴データレコードの名刺データに基づいて、前記指定された顧客担当者個人の職務経歴を前記第２の端末装置に表示させるためのデータを出力する手段を、さらに備える請求項１記載の面会記録管理装置。
【請求項３】
第２の端末装置から顧客担当者の指定を受け付けると、前記蓄積手段に蓄積されている指定された顧客担当者に係る面会履歴データレコードを抽出し、抽出された面会履歴データレコードに基づいて、前記指定された顧客担当者が面会したユーザ担当者一覧を前記第２の端末装置に表示させるためのデータを出力する手段を、さらに備える請求項１記載の面会記録管理装置。
【請求項４】
前記第１の端末装置から、前記ユーザ担当者と面会した顧客担当者に関する付加データを受け付けて、前記名刺データと関連づけて前記蓄積手段に登録する手段をさらに備え、
前記指定された顧客担当者が面会したユーザ担当者一覧を前記第２の端末装置に表示させるためのデータに、前記指定された顧客担当者の付加データへアクセスするためのリンクデータを含めることを特徴とする、請求項３記載の面会記録管理装置。
【請求項５】
第２の端末装置から、前記蓄積手段に蓄積されている面会履歴の中の一以上の面会の指定を受け付けると、指定された面会に係る面会履歴データレコードを前記蓄積手段から抽出し、抽出された面会履歴データレコードに基づいて、前記指定された面会に同席した顧客担当者が属する組織の組織図を推定し、推定された組織図を前記第２の端末装置に表示させるためのデータを出力する手段を、さらに備える請求項１記載の面会記録管理装置。
【請求項６】
第２の端末装置から、前記蓄積手段に蓄積されている面会履歴の中の一以上の面会の指定を受け付けると、指定された面会に係る面会履歴データレコードを前記蓄積手段から抽出し、抽出された面会履歴データレコードに基づいて、前記指定された面会に同席した顧客担当者同士の仕事上の親密度を推定し、推定された親密度を反映させた顧客担当者の連関図を前記第２の端末装置に表示させるためのデータを出力する手段を、さらに備える請求項１記載の面会記録管理装置。
【請求項７】
ユーザ担当者と面会した顧客担当者の名刺データと、前記面会に係る面会記録データとを対応付けた面会履歴データレコードを、それぞれの面会別に蓄積する面会履歴の蓄積手段を備えた面会記録管理装置が、
前記ユーザ担当者の第１の端末装置から、前記ユーザ担当者と面会した顧客担当者の名刺データを取得するステップと、
前記取得した顧客担当者の名刺データに基づいて、前記蓄積手段から前記顧客担当者に係る面会履歴データレコードを抽出するステップと、
前記抽出された面会履歴データレコードに基づいて、前記顧客担当者の過去の面会に係る面会記録データを前記第１の端末装置へ出力するステップと、を有する面会記録管理方法。
【請求項８】
ユーザ担当者と面会した顧客担当者の名刺データと、前記面会に係る面会記録データとを対応付けた面会履歴データレコードを、それぞれの面会別に蓄積する面会履歴の蓄積手段を備えた面会記録管理装置のためのコンピュータプログラムであって、
前記面会記録管理装置に、
前記ユーザ担当者の第１の端末装置から、前記ユーザ担当者と面会した顧客担当者の名刺データを取得するステップと、
前記取得した顧客担当者の名刺データに基づいて、前記蓄積手段から前記顧客担当者に係る面会履歴データレコードを抽出するステップと、
前記抽出された面会履歴データレコードに基づいて、前記顧客担当者の過去の面会に係る面会記録データを前記第１の端末装置へ出力するステップと、を実行させるためのコンピュータプログラム。